(57)【特許請求の範囲】
【請求項１】
認証しようとする指を両側に挟んで一方側に近赤外ＬＥＤ、他方側に撮像装置が配設され、一体として使用される透過型指静脈認証装置において、
前記近赤外ＬＥＤを一方の構造体に配設し、前記撮像装置を他方の構造体に配設し、指間に間挿される薄さの間挿部分を有するスライド機構部を双方の構造体にスライド可能に設けて、いずれか一つの構造体を該スライド機構部によってスライドさせることによって双方の構造体の間に認証しようとする指を挿入するに充分な間隙部を形成し、以って前記近赤外ＬＥＤからの近赤外線を認証しようとする指に照射し、認証しようとする指からの生体情報を前記撮像装置によって撮像取得すること
を特徴とする透過型指静脈認証装置。
【請求項２】
認証しようとする指を両側に挟んで一方側に近赤外ＬＥＤ、他方側に撮像装置が配設され、一体として使用される透過型指静脈認証装置において、
前記近赤外ＬＥＤを一方の箱状の構造体に配設し、前記撮像装置を他方の箱状の構造体に配設し、スライド機構部を双方の構造体にスライド可能に設けて、いずれか１つの構造体を該スライド機構部によってスライドさせることによって双方の構造体の間に認証しようとする指を挿入するに充分な間隙部を形成し、かつ該スライド機構部は１つの構造体をスライドさせることによって双方の構造体を接触させて一体化させて縮小した箱形形状体とすること
を特徴とする透過型指静脈認証装置。
【請求項３】
請求項１または２において、他方の構造体が固定材に固定され、一方の構造体が前記スライド機構部によってスライドされることを特徴とする透過型指静脈認証装置。
【請求項４】
請求項１または２において、前記スライド機構部は板状部で形成されたスライド部を有し、双方の構造体の一方の側面側に設けられ、双方の構造体には前記スライド部のスライドに伴なって移動して他方の側面部を遮蔽する板状遮蔽部が設けられることを特徴とする透過型指静脈認証装置。
【請求項５】
指の有する生体情報を検出して生体情報による同一性認証を行う生体認証装置において、
一方の箱状の構造体および他方の箱状の構造体を有し、スライド機構部を双方の構造体にスライド可能に設けて、いずれか１つの構造体を該スライド機構部によってスライドさせることによって双方の構造体の間に認証しようとする指を挿入するに充分な間隙部を形成し、かつ該スライド機構部は１つの構造体をスライドさせることによって双方の構造体を接触させて一体化させて縮小した箱形形状体を形成し、スライドさせる前記１つの構造体によって一体化される他方の構造体に光照射手段および光照射に伴なって生体情報を検出する生体情報検出手段を設けるか、または前記光照射手段および前記生体情報検出手段のいずれかを前記１つの構造体および一体化される他方の構造体のいずれかに配設すること
を特徴とする生体認証装置。
【請求項６】
認証しようとする指を両側に挟んで一方側に近赤外ＬＥＤ、他方側に撮像装置が配設され、一体として使用される透過型指静脈認証装置による指静脈認証方法において、
前記近赤外ＬＥＤを配設した一方の構造体および前記撮像装置を配設した他方の構造体の双方にスライド可能に設けられたスライド機構部によって、いずれか一つの構造体をスライドさせて双方の構造体の間に認証しようとする指を挿入するに充分な間隙を形成し、該間隙に指を挿入する時に、前記スライド機構造部の有する、指間に間挿される薄さの間挿部分が指間であって指の根元部に接触する状態を形成し、以って前記近赤外ＬＥＤからの近赤外線を前記状態におかれた指に照射し、該指からの生体情報を前記撮像装置によって撮像取得すること
を特徴とする透過型指静脈認証装置による指静脈認証方法。
【請求項７】
請求項６において、前記スライド機構部のスライドに伴なって移動する板部遮蔽部によって前記間隙を遮蔽することを特徴とする透過型指静脈認証装置による指静脈認証方法。
【請求項８】
指の有する生体情報を検出して生体情報による同一性認証を行う生体認証装置による生体認証方法において、
一方の箱状の構造体および他方の箱状の構造体の双方に設けたスライド可能なスライド機構部によって、いずれか一つの構造体をスライドさせて双方の間に認証しようとする指を挿入するに充分な間隙を形成し、該間隙に指を挿入する時に、前期スライド機構部の有する、指間に間挿させる薄さの間挿部分が、指間であって指の根元部に接触する状態を形成し、スライドさせる前記１つの構造体によって一体化させる他方の構造体に設けられた光照射手段および光照射に伴なって生体情報を検出する生体情報手段によって、または前記１つの構造体および一体化された他方の構造体のいずれかに設けられた前期光照射手段および前記生体情報検出手段によって、前記状態に置かれた指から生体情報を検出取得すること
を特徴とする生体認証装置による生体認証方法。
【発明の詳細な説明】
【技術分野】
【０００１】
本発明は、生体認証装置およびそれを使用した生体認証方法、特に透過型指静脈認証装置およびそれを使用した指静脈認証方法に関する。
【背景技術】
【０００２】
財産や情報の安全な管理を目的として、個人認証技術への期待が高まっている。特に、人間の体の一部を鍵として利用する生体認証技術は、従来の暗証番号や鍵による管理に比べ、遺失や盗難等による不正行使の恐れが少ないことから注目を集めている。指の血管パターンを用いた認証方法は、指紋のように犯罪を連想させたり、蚊彩のように直接眼球に光を照射したりすることがないので心理的抵抗感が少なく、また、生体の表面ではなく内部の特徴を読み取るため、偽造が困難という利点がある。
【０００３】
特許文献１には、１本の指の指紋を下面に向けて挿入できる挿入部を設けたケースと、前記指に対してその上面から透過光を照射する光源部と、任意波長に対して光透過性を有する干渉フィルタ部と、該干渉フィルタ部を透過した透過光を撮像する撮像部と、該撮像部から出力される前記指の静脈画像データの画像処理部とを有する個人認証装置が記載されている。
【０００４】
特許文献２には、個人登録情報入力部と、個人生体情報処理部とを有する個人認証装置において、個人生体情報入力部と、少なくとも前記個人生体情報入力部を被う開口蓋部と該開口蓋部のロックまたは解除を行う固着部と、前記個人登録情報入力部から入力された情報と予め登録されている個人登録とを比較し、前期固着部のロックまたは解除を行う制御部とを有する個人認証装置が記載されている。
【０００５】
特許文献３には、指の位置を設定する指置きガイドと、前記指に透過光を照射する光源部と、透過した前記透過光を撮影する撮像部と、該撮像部で撮影された画像の認証処理を行う認証部とを有し、前記指置きガイドは認証対象の指が設定される認証対象指置きガイド部と、認証対象外の指が設定される認証対象外指置きガイド部とを備えた指認証装置に記載されている。
【０００６】
特許文献４には、ケース上面に配置された指紋読み取り用のセンサと、ケースの前記センサの両側に立設されたカバーフレームと、このカバーフレームの上辺に軸支され通常は前記センサの上側を閉じているが上面が指で押されると下向きに回転して記載されている。センサの上側を開ける開閉カバーとを含む指紋認証センサの保護カバーが記載されている。
【０００７】
【特許文献１】特開２００４−４９７０５号公報
【特許文献２】特開２００５−１２８９３５号公報
【特許文献３】特開２００５−１２８９３６号公報
【特許文献４】特開２００１−１４３０５２号公報
【発明の開示】
【発明が解決しようとする課題】
【０００８】
例えば、指の静脈パターンを利用して個人認証する個人認証装置は、上述のように利点を有しており、環境の場、セキュリティの場、ＩＴ機器、建物あるいは福祉の場等色々なところで使用されるようになってきている。このように、多用途に採用されるに伴い、更に低価格で、小型化で組立が容易であり、未使用時にはセンサー部を完全に隠して縮小化を図ることのできる生体認証装置が求められるようになった。本発明は、かかる点に鑑み、多用途に採用可能で、低価格で、小型化することができ、特に未使用時にはセンサー部を完全に隠して縮小化を図ることのできる生体認証装置およびその方法を提供することを目的とする。
【０００９】
また、本発明は、指先を固定しないようにして、指の短い女性や子供でも認証のための指の配置を正確に行うことができ、または指の有効長が取れる生体認証装置およびそれを用いた方法、特に透過型指認証装置およびそれを用いた方法を提供することを目的とする。
【課題を解決するための手段】
【００１０】
本発明は、認証しようとする指を両側に挟んで一方側に近赤外ＬＥＤ、他方側に撮像装置が配設され、一体として使用される透過型指静脈認証装置において、前記近赤外ＬＥＤを一方の構造体に配設し、前記撮像装置を他方の構造体に配設し、指間に間挿される薄さの間挿部分を有するスライド機構部を双方の構造体にスライド可能に設けて、いずれか一つの構造体を該スライド機構部によってスライドさせることによって双方の構造体の間に認証しようとする指を挿入するに充分な間隙部を形成し、以って前記近赤外ＬＥＤからの近赤外線を認証しようとする指に照射し、認証しようとする指からの生体情報を前記撮像装置によって撮像取得することを特徴とする透過型指静脈認証装置を提供する。
【００１１】
また、本発明は、認証しようとする指を両側に挟んで一方側に近赤外ＬＥＤ、他方側に撮像装置が配設され、一体として使用される透過型指静脈認証装置において、前記近赤外ＬＥＤを一方の箱状の構造体に配設し、前記撮像装置を他方の箱状の構造体に配設し、スライド機構部を双方の構造体にスライド可能に設けて、いずれか１つの構造体を該スライド機構部によってスライドさせることによって双方の構造体の間に認証しようとする指を挿入するに充分な間隙部を形成し、かつ該スライド機構部は１つの構造体をスライドさせることによって双方の構造体を接触させて一体化させて縮小した箱形形状体とすることを特徴とする透過型指静脈認証装置を提供する。
【００１２】
上述の透過型指静脈認証装置は、他方の構造体が固定材に固定され、一方の構造体が前記スライド機構部によってスライドされることを特徴とする。
【００１３】
上述の透過型指静脈認証装置は、前記スライド機構部は板状部で形成されたスライド部を有し、双方の構造体の一方の側面側に設けられ、双方の構造体には前記スライド部のスライドに伴なって移動して他方の側面部を遮蔽する板状遮蔽部が設けられることを特徴とする。
【００１４】
また、本発明は、指の有する生体情報を検出して生体情報による同一性認証を行う生体認証装置において、一方の箱状の構造体および他方の箱状の構造体を有し、スライド機構部を双方の構造体にスライド可能に設けて、いずれか１つの構造体を該スライド機構部によってスライドさせることによって双方の構造体の間に認証しようとする指を挿入するに充分な間隙部を形成し、かつ該スライド機構部は１つの構造体をスライドさせることによって双方の構造体を接触させて一体化させて縮小した箱形形状体を形成し、スライドさせる前記１つの構造体によって一体化される他方の構造体に光照射手段および光照射に伴なって生体情報を検出する生体情報検出手段を設けるか、または前記光照射手段および前記生体情報検出手段のいずれかを前記１つの構造体および一体化される他方の構造体のいずれかに配設することを特徴とする生体認証装置を提供する。
【００１５】
また、本発明は、認証しようとする指を両側に挟んで一方側に近赤外ＬＥＤ、他方側に撮像装置が配設され、一体として使用される透過型指静脈認証装置による指静脈認証方法において、前記近赤外ＬＥＤを配設した一方の構造体および前記撮像装置を配設した他方の構造体の双方にスライド可能に設けられたスライド機構部によって、いずれか一つの構造体をスライドさせて双方の構造体の間に認証しようとする指を挿入するに充分な間隙を形成し、該間隙に指を挿入する時に、前記スライド機構造部の有する、指間に間挿される薄さの間挿部分が指間であって指の根元部に接触する状態を形成し、以って前記近赤外ＬＥＤからの近赤外線を前記状態におかれた指に照射し、該指からの生体情報を前記撮像装置によって撮像取得することを特徴とする透過型指静脈認証装置による指静脈認証方法を提供する。
【００１６】
上述の指静脈認証方法は、前記スライド機構部のスライドに伴なって移動する板部遮蔽部によって前記間隙を遮蔽することを特徴とする。
【００１７】
また、本発明は、指の有する生体情報を検出して生体情報による同一性認証を行う生体認証装置による生体認証方法において、一方の箱状の構造体および他方の箱状の構造体の双方に設けたスライド可能なスライド機構部によって、いずれか一つの構造体をスライドさせて双方の間に認証しようとする指を挿入するに充分な間隙を形成し、該間隙に指を挿入する時に、前期スライド機構部の有する、指間に間挿させる薄さの間挿部分が、指間であって指の根元部に接触する状態を形成し、スライドさせる前記１つの構造体によって一体化させる他方の構造体に設けられた光照射手段および光照射に伴なって生体情報を検出する生体情報手段によって、または前記１つの構造体および一体化された他方の構造体のいずれかに設けられた前期光照射手段および前記生体情報検出手段によって、前記状態に置かれた指から生体情報を検出取得することを特徴とする生体認証装置による生体認証方法を提供する。
【発明の効果】
【００１８】
本発明によれば、スライド機構を備えた生体認証装置としたために、多用途に採用可能で、低価格、小型化とすることができ、特に未使用時には、センサー部を完全に隠して縮小化することのできる生体認証装置を提供することができる。
【００１９】
また、本発明によれば、指先で認証する指を固定しないで指の根元部で固定するようにして生体認証ができるために、指の短い女性や子供でも認証のための指の配置を正確に行うことができ、あるいは、指の有効長が取れる生体認証装置それを用いた方法、特に透過型指静脈認証装置およびそれを用いた方法を提供することができる。
【発明を実施するための最良の形態】
【００２０】
以下、本発明の実施例を図面に基づいて説明する。
【実施例１】
【００２１】
図１は、本発明の実施例である透過型指静脈認証装置の外観図を示し、図２はその側面図、および図３は上面図を示す。そして、図４は、図１において指を挿入していない場合の外観図であり、図５は未使用におけるスライド機構によって折りたたんだ時の状態を示す図である。
【００２２】
これらの図において、透過型指静脈認証装置１００は、センサー部として認証しようとする指１を両側に挟んで、図１および図２に示す場合、上下に挟んで一方側に近赤外ＬＥＤ２１、他方側に撮像装置２２が配設され、一体として使用される透過型指静脈認証装置として構成される。２は指１の隣りの指を示す。１Ａ、２Ａは爪を示す。
【００２３】
この透過型指静脈認証装置１００は、使用時に上側に配設される一方の箱状の構造体１１と使用時に下側に配設される他方の箱状の構造体１２と双方の構造体１１にスライド可能に設けたスライド機構部１３とによって構成される。他方の構造体１２には、撮像装置によって取得された生体情報を外部に導出するためのＩＣ基板１４およびケーブル（ＵＳＢケーブル）１５が設けてある。
【００２４】
図６は、透過型指認証装置１００の内部構造を示す断面図である。図６（ａ）は、認証時に指を挿入する前の状態を示し、図６（ｂ）は未使用時にスライド機構によって上下に配設された双方の構造体１１，１２を接触させ、一体化した状態を示す図であり、図６（ａ）は図４に、そして図６（ｂ）は図５に相当する。
【００２５】
図６（ａ）において、上述のように、透過型指静脈認証装置１００は、上側に配設される一方の箱状の構造体１１と下側に配設される他方の箱状の構造体１２とスライド機構部１３とによって構成される。
【００２６】
一方の箱状の構造体１１と他方の構造体１２とは、右側両側において、同一面としてある。従って両者がスライドによって一体化された時に、図６（ｂ）に示すように両者は１つの箱形形状をなす。
【００２７】
一方の箱状の構造体１１の内部には、下側に向けて近赤外ＬＥＤ２１が設けてあり、下側に向けて近赤外線を照射することができる。そして、近赤外ＬＥＤ２１は、この箱状の構造体１１からは外方に出ないで照射部は下側に向けて露出している。
【００２８】
他方の箱状の構造体１２の内部には上側に向けて撮像装置２２を構成するカメラが設けてある。カメラは、他方の箱状の構造体１２の下部部分に配設されており、挿入される指とは距離がおかれる。カメラは取得した指静脈についての撮像情報をＩＣチップ基板１４に記憶する共に、外部に導出する。
【００２９】
このような構成によって、近赤外ＬＥＤ２１から近赤外線を認証しようとする指１に照射し、照射することによって撮像装置２２によって指静脈の透過した情報として取得することは、この業界によってよく知られているところである。
【００３０】
本実施例にあっては、双方の構造体１１，１２には、スライド機構部１３が設けてある。このスライド機構部１３は、上部構造部３１と下部構造部３２とからなり、上部構造部３１は、板状をなし、下部構造部３２に形成した挿入受入れ部３４をスライドして挿入可能とされ、摩擦その他の手段によって任意の個所に静止可能とされている。上部構造部３１は任意の固定手段によって一方の構造体１１に固定される。下部構造部３２の突出部３５は上部構造体Ｍの高さと同一とされ、スライド機構１３によって上部構造体１１にスライドさせると図５に示す構造とすることができる。従って、上部構造体１１は上部構造部３１と一体とされ、全体として上部構造体１１として形成することができ、また下部構造体１２は下部構造部３２と一体とされ、全体として下部構造体として形成することができる。
【００３１】
このように構成されたスライド機構部１３は、一方の構造体１１を他方の構造体１２に向けてスライド、すなわち移動し、任意の距離で停止することができる。この場合に無段落であってもよいし、歯車機構のような構成によって多数の有段落による停止位置としてもよい。
【００３２】
また、スライド機構１３は、一方の構造体１１を他方の構造体１２に接触するまでスライドさせることができる。このようにしてスライドさせると、図６（ｂ）に示すような双方の構造体１１，１２はあたかも直方体の１つの箱であるかのようになる。すなわち、スライド機構３は、一方の構造体１１をスライドさせることによって箱形形状体４１を形成する。４２は、両者の接触面を示す。
【００３３】
図６に示す例にあっては、上方にある構造体１１に近赤外ＬＥＤ２１を配設し、下方にある構造体１２に撮像装置２２であるカメラを配設したが、逆に上方にある構造体１１にカメラ２２を配設し、下方にある構造体１２に近赤外ＬＥＤ２１を配設するようにしてもよい。また、この例では、スライドの方向を上から下に向ける場合について説明したが、スライド機構３を逆転させることによって下から上に向けてスライドさせることが可能である。図８に図６の変形例を示す。この例にあっては上部の構造体１１にカメラが配設され、下部の構造体１２には近赤外ＬＥＤが配設される。さらに、下部の構造体１２には空隙部４３に面してくぼみ５０を備えた指置き４９を形成している。
【００３４】
このような構成をすることによって、指１の腹部が押されにくくすることができ、指静脈がつぶれなくなり、正確な撮像を取得できる。
【００３５】
図６（ａ）において、上部構造部３１を形成する板部は、指間に間挿される薄さの間挿部分を有するものとされる。この状態を図２が示す。隣接する指１、指２の間に上部構造部３１の板部が間挿されるので、この板部の厚さは指間に間挿される薄さとされる。
【００３６】
指１と指２との間によって上部構造部３１の板部を間挿し、スライド機構１３によって一方の構造体１１を下方に下げ、図２に示すような状態にする。図２に示す状態にあっては、双方の構造体１１，１２の間に認証しようとする指１を挿入するに充分な間隙部４３が一方の構造体１１と他方の構造体１２によって形成される。また、上部構造部３１の指部には指２にフィットするくぼみ４４を形成している。なお、図２の例を図７に示す。図７に示す例にあっては上部の構造体１１および下部の構造体１２に空隙部４３に向って指１の指置き４５、４６をそれぞれ設け、指置き４５、４６にくぼみ４７、４８をそれぞれ形成して指１をフィットして置けるようにしている。この構成によって指１をくぼみ４７、４８にフィットして載置することができる。
【００３７】
図３は、図２の状態を上側から見た図であり、図３（ａ）の例は指が長い人の場合の認証時を示し、図３（ｂ）の例は指が短い人の場合の認証時を示す。
【００３８】
図３において、指１と指２との間にスライド機構部１３の上部構造部３１、すなわち上部構造部３１の板部が間挿される。この場合に、上部構造部３１は、図３（ａ）、図３（ｂ）に示すように、指１と指２との間の指根元部４４に接触して止められる。すなわち認証しようとする指１に対する透過型指静脈認証装置１００の位置は、指根元部４４によって定められており、指１の先端ではない。
【００３９】
この機構によれば、指先を固定しないので、指の長短にかかわらず、指の有効長が取れることになる。また、指１を指の長短にかかわらず、透過型指静脈認証装置１００をほぼ一定の位置に正確に設定することができることになる。すなわち、指の短い女性や子供であっても認証のための指の位置を透過型指静脈認証装置１００に対して正確に、あるいは／および指１の有効長が取れ、検出精度が均一に向上することになる。
【００４０】
上部構造部３１の板部は指の根元部４４に接するようにするならば、板部である必要はないが、認証時に計測部を遮蔽するために板部とすることが望ましい。
【００４１】
このような構成にすることによって、手の指１と指２とで挟んで使う透過型指静脈認証装置１００とするために指１の回転が発生しにくくなって認証精度を向上させることができる。また、指先を固定しないで毎回指の股、すなわち指の根元部４４に接触固定させるようにしているので、指先固定を要することなく認証部位を安定化させることができる。
【００４２】
認証時には、図４に示すように一方の構造体１１を任意の間隙４３を置いて他方の構造体１２に対してスライド、固定しているが、未使用時には図５に示すように一方の構造体１１を他方の構造体１２に接触させて一体化させて縮小した直方体の箱形形状体４１としている。従って、未使用時には箱形形状体４１として小型化し、センサー部を完全に隠れる構造としており、ごみの影響をなくす構造としている。このように未使用時には、一方の構造体１１はカバーとしての機能を有しており、特別のカバーを必要としない。
【００４３】
図４において、固定板１５を置いて他方の構造体１２をこの上に固定することによって全体装置の安定化を図ることができる。固定板１５に磁石機能のある鉄板として他方の構造体１２との間に磁力を働かせて固定するようにしてもよい。
【００４４】
上述の例では、スライド機構部１３は板状部で形成されるスライド部を有し、このスライド部は図２の状態において一方の側面側（紙上で左側）を遮蔽することを行っている。一方の構造体１１の他方の側面側（紙上で右側）に板上遮蔽体５２を設けると、認証時に外光を遮断できる効果が得られる。
【００４５】
上述の例では、透過型指静脈認証装置を固定部５３によって固定された例に取って説明したが、図５あるいは図６（ｂ）に示す構造は、他の生体認証装置についても有効である。例えば指紋による個人認証の場合であれば、近赤外ＬＥＤに代えて光照射手段が採用され、生体情報を検出する生体情報検出手段が採用される。この場合に、スライドさせる１つの構造体によって一体化される他方の構造体に光照射手段および光照射に伴って生体情報を検出する生体情報検出手段の双方を設けるようにする。
【図面の簡単な説明】
【００４６】
【図１】本発明の実施例の外観図。
【図２】本発明の実施例の側面図。
【図３】本発明の実施例の上面図。
【図４】本発明の実施例の使用状態を示す図。
【図５】本発明の実施例の未使用時状態を示す図。
【図６】本発明の実施例の内部構造を示す図。
【図７】図２に示す例の変形例を示す図。
【図８】図６（ａ）に示す例の変形例を示す図。
【符号の説明】
【００４７】
１，２…指、１１…一方の構造体、１２…他方の構造体、１３…スライド機構部、１４…ＩＣチップ基板、１５…ケーブル、２１…近赤外ＬＥＤ、２２…カメラ（撮像装置）、３１…上部構造部、３２…下部構造部、３４…挿入受入れ部、４１…箱形形状体、４２…接触面、４３…間隙部、４４…指の根元部、１００…透過型指静脈認証装置。
【図１】
0004621164.tif 000002
【図２】
0004621164.tif 000003
【図３】
0004621164.tif 000004
【図４】
0004621164.tif 000005
【図５】
0004621164.tif 000006
【図６】
0004621164.tif 000007
【図７】
0004621164.tif 000008
【図８】
0004621164.tif 000009